(57)【特許請求の範囲】
【請求項１】
壁パネルと天井パネルを連結する廻し縁に取り付けられる中空の廻し縁カバーを天井の角に付き合わせた際に生じる隙間を隠すコーナーピースであって、
両側の廻し縁カバーの端部の前面側にかぶさって隙間を覆う前面部と、
前記前面部の背面中央に立設し廻し縁カバーの隙間に挿入される板状の芯部と、
前記芯部の左右両面に前方に傾いた羽根状に立設され、可撓性を有して廻し縁カバーの隙間に挿入可能であって、廻し縁カバーの内部で広がってその内面に係止するヒレ部と、を備えた事を特徴とするコーナーピース。
【請求項２】
前記ヒレ部は、廻し縁カバーの内部空間の高さに対応する幅の高段部と、廻し縁カバーの端面に対応する位置に設けられた低段部とを有することを特徴とする請求項１に記載のコーナーピース。
【請求項３】
前記ヒレ部は挿入方向に並列に複数枚設けられていて、最も奥側のヒレ部の下端には、廻し縁カバーの内面に当接する部位を肉厚にする突起が設けられていることを特徴とする請求項１または請求項２に記載のコーナーピース。
【請求項４】
前記ヒレ部は挿入方向に並列に複数枚設けられていて、最も奥側のヒレ部が他のヒレ部よりも肉厚であることを特徴とする請求項１から請求項３のいずれか１項に記載のコーナーピース。
【発明の詳細な説明】
【技術分野】
【０００１】
本発明は、廻し縁カバーの隙間を隠すためのコーナーピースに関する。
【背景技術】
【０００２】
住宅等の建物の壁と天井の間には、廻し縁が設けられる場合が多い。廻し縁は壁と天井の境界に取り付けられる部材であって、壁パネルと天井パネルとを連結する役割を有する。廻し縁には化粧部材である廻し縁カバーが取り付けられて、壁と天井の色柄や素材の違いからくる違和感を緩和し、また継ぎ目の隙間を隠す役割を有している。
【０００３】
近年のユニットバスでは壁面と天井がそれぞれパネルとなっていて、これらを連結して部屋を構成している（柱や梁を使用していない）。特許文献１には、壁パネルと天井パネルとをピース部材（廻し縁）によって連結すると共に、ピース部材の前面に化粧として目地部材（廻し縁カバー）を取り付ける構成が記載されている。特許文献１において目地部材は壁パネルおよび天井パネルに対してフィンを備えていて、水密的かつ気密的に当接すると説明されている。すなわち廻し縁カバー（目地部材）は、構造体である廻し縁を隠す化粧の役割と、廻し縁に対する水密および気密の役割を備えている。
【０００４】
ところで天井パネルは、まず天井パネルの縁に廻し縁を取り付けた後に、上方から廻し縁を壁パネルの上端部に落とし込むようにして設置される。このとき、天井パネルの角部にまで廻し縁を取り付けた状態で壁パネルに取り付けようとすると、壁パネルと天井パネルの寸法精度が非常に高精度に要求されることになる。このため、廻し縁は天井パネルの角部にまでは至らない寸法とする必要がある。すると、角部には廻し縁がないため、廻し縁カバーの外装材の取り付けが難しいことになる。したがって従来は、廻し縁カバーの隙間にシーリング材を充填して処理するのが一般的であった。
【０００５】
しかし、シーリング材で処理した部分は長期使用状態では汚れが溜まりやすく、特にカビの発生元となりやすいため、美観の低下を招くという問題がある。
【０００６】
またシーリング材の充填では廻し縁カバーの端部が視認できるため、廻し縁カバーの両端の配置のずれが目立ちやすい。したがって左右の隙間が均等になるように廻し縁カバーを取り付ける必要があるが、作業に慎重を要し、仮留めと位置調整を繰り返すことになるため、施工に時間がかかるという問題がある。
【０００７】
さらにシーリング材を用いる場合、周囲に付着しないようにマスキング（養生）を行ったり、シーリング材がある程度固まるまで待ってから余剰分を拭き取る必要がある。この点においても、施工に時間がかかるという問題がある。
【０００８】
なお従来からも、シーリング材ではなく、部材によって角部の隙間を隠す構成がある。特許文献２には、壁と壁の交差するコーナー部にコーナーピースを固設し、このコーナーピースの表面部の裏側に廻し縁カバーのコーナー側端縁を呑み込ませて取り付ける構造が提案されている。特許文献２では、上記構成により施工性が良く、また施工誤差も吸収できる見栄え性の良い天井廻し縁カバーの取り付け構造を提供できるとしている。
【０００９】
また特許文献３には、入隅（角部）の壁に壁固定部材を釘打ちして固定し、幅木の間隙を被覆するコーナー被覆具を壁固定部材のスリットに嵌合させて取り付ける構造が提案されている。特許文献３では、上記構成により幅木や廻し縁カバーを加工することなくコーナー被覆具を容易に取り付けることができ、かつ幅木の伸縮の悪影響を受けることがないとしている。
【先行技術文献】
【特許文献】
【００１０】
【特許文献１】特開２０１１−１８５０２１号公報
【特許文献２】特開２００２−３１７５５０号公報
【特許文献３】特開２００８−２４０４６８号公報
【発明の概要】
【発明が解決しようとする課題】
【００１１】
特許文献２の構成では、角部にコーナーピースおよびガイドレールを予め固設させた状態で廻し縁カバーを取り付けることになる。このとき廻し縁カバーの長さは両側のコーナーピース間の間隔より必然的に長い。このため特許文献２では、廻し縁カバーの一端をコーナーピースに差し込んだ後に、廻し縁カバーを少し曲げながら他端を反対側のコーナーピースに差し込むと説明している。しかしながら長尺の廻し縁カバーを宙に浮いた状態でたわませながらその先端を差し込むことは難しく、施工性がよいとは言いがたいものである。またコーナーピースを固設する必要があることから、部品点数の増加、工数の増加を招くために、施工時間およびコストが増大するという問題がある。
【００１２】
また特許文献３の構成では、コーナー被覆具を固定するために、受けとなる壁固定部材が必要となる。このためやはり、部品点数の増加、工数の増加を招き、施工時間およびコストが増大するという問題がある。
【００１３】
そこで本発明は、廻し縁カバーの隙間をシーリングで充填することなく隙間を隠すことができ、手作業で簡単迅速に取り付け可能であり、また取り付け後は十分な保持力を有するコーナーピースを提供することを目的としている。
【課題を解決するための手段】
【００１４】
上記課題を解決するために、本発明にかかるコーナーピースの代表的な構成は、壁パネルと天井パネルを連結する廻し縁に取り付けられる中空の廻し縁カバーを天井の角に付き合わせた際に生じる隙間を隠すコーナーピースであって、両側の廻し縁カバーの端部の前面側にかぶさって隙間を覆う前面部と、前面部の背面中央に立設し廻し縁カバーの隙間に挿入される板状の芯部と、芯部の左右両面に前方に傾いた羽根状に立設され、可撓性を有して廻し縁カバーの隙間に挿入可能であって、廻し縁カバーの内部で広がってその内面に係止するヒレ部と、を備えた事を特徴とする。
【００１５】
上記構成によれば、廻し縁カバーを取り付けた後に、その隙間に差し込むだけでコーナーピースを取り付けることができるため、廻し縁カバーの隙間をシーリング材で充填することなく隙間を隠すことができ、手作業で簡単迅速に取り付け可能である。またヒレ部が廻し縁カバーの内部で広がることにより、十分な保持力を得ることができる。
【００１６】
ヒレ部は、廻し縁カバーの内部空間の高さに対応する幅の高段部と、廻し縁カバーの端面に対応する位置に設けられた低段部とを有することが好ましい。これにより、高段部は廻し縁カバーの内部で上下方向の移動を規制すると共に、低段部は廻し縁カバーの端面に常時圧接してずれを防止し、より保持力と安定性を向上させることができる。
【００１７】
ヒレ部は挿入方向に並列に複数枚設けられていて、最も奥側のヒレ部の下端には、廻し縁カバーの内面に当接する部位を肉厚にする突起が設けられていることが好ましい。これにより、ヒレ部の可撓性を確保しつつも、廻し縁カバーの内面に当接している箇所が座屈することを防止し、さらに保持力と安定性を向上させることができる。
【００１８】
ヒレ部は挿入方向に並列に複数枚設けられていて、最も奥側のヒレ部が他のヒレ部よりも肉厚であることが好ましい。これにより、コーナーピースを狭い隙間に挿入する際の強度を得ることができる。また、回転モーメントによるヒレ部の座屈を効果的に防止することができる。
【発明の効果】
【００１９】
本発明によれば、廻し縁カバーの隙間をシーリングで充填することなく隙間を隠すことができ、手作業で簡単迅速に取り付け可能であり、また取り付け後は十分な保持力を有するコーナーピースを提供することができる。
【図面の簡単な説明】
【００２０】
【図１】コーナーピースの使用態様を説明する図である。
【図２】コーナーピースの斜視図である。
【図３】コーナーピースの５面図である。
【図４】コーナーピースを廻し縁カバーの隙間に挿入する際のヒレ部の状態を説明する図である。
【図５】ヒレ部の詳細を説明する図である。
【発明を実施するための形態】
【００２１】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２２】
本発明にかかるコーナーピースは、天井の角に付き合わせて配置された廻し縁カバーの隙間を隠すものである。ここで本発明にかかるコーナーピースは、先に設置された廻し縁カバーの隙間に手作業によって取り付けることができ、また中空の廻し縁カバーの内面を利用して係止することが特徴的である。
【００２３】
図１はコーナーピースの使用態様を説明する図であって、図１（ａ）は天井パネル１１０および壁パネル１２０の組立を説明する図、図１（ｂ）はコーナーピース２００の装着前を示す図、図１（ｃ）はコーナーピース２００の装着後を示す図である。なお、図１（ａ）、図１（ｂ）において天井パネル１１０は二点鎖線で描画して透過表示している。
【００２４】
図１（ａ）は浴室の天井の角部を示している。浴室は、天井パネル１１０と壁パネル１２０とを連結して構成される。天井パネル１１０と壁パネル１２０は廻し縁１３０によって連結されていて、さらに廻し縁１３０の室内側には廻し縁カバー１４０が取り付けられる。
【００２５】
廻し縁１３０は、天井パネル１１０と壁パネル１２０を連結する役割を有する。廻し縁１３０は硬質な弾性材料（例えばアルミニウムや硬質樹脂）から形成された長尺部材（押出成形品）である。
【００２６】
廻し縁１３０は、天井パネル１１０の端部上面に回り込む上折り返し部１３２と、天井パネル１１０と壁パネル１２０の間に位置する境界部１３４とによってポケットを形成し、天井パネル１１０の端縁を噛み込んで固定される。
【００２７】
また境界部１３４と連続して、壁パネル１２０の前面側（室内側）に前壁部１３６が垂下し、壁パネル１２０の背面側（室外側）に後折り返し部１３７が垂下している。境界部１３４、前壁部１３６、後折り返し部１３７によってポケットが形成されていて、ここを壁パネル１２０の上端部に落とし込むことによって、天井パネル１１０と壁パネル１２０が連結される。この状態で、天井の角部の天井パネル１１０と壁パネル１２０の合わせ目を、シーリング材によって封止する。
【００２８】
なお、上折り返し部１３２と後折り返し部１３７は鈎状に屈曲し、硬質材料であってもバネ性を高めている。
【００２９】
廻し縁カバー１４０は、天井パネル１１０と壁パネル１２０の境界を隠す役割を有する。廻し縁カバー１４０は硬質材料（例えばアルミニウムや硬質樹脂）から形成された長尺部材（押出成形品）である。廻し縁カバー１４０は弾性を利用しないが、廻し縁１３０と同じ材質でよい。
【００３０】
廻し縁カバー１４０は、化粧面であるカバー前面部１４２およびカバー下面部１４４を備えている。カバー前面部１４２の上端には、可撓性を有し、天井パネル１１０に密接する上フィン１４２ａが設けられている。カバー下面部１４４の下端には、壁パネル１２０に密接する下フィン１４４ａが設けられている。上フィン１４２ａおよび下フィン１４４ａは、廻し縁カバー１４０の基体（カバー前面部１４２およびカバー下面部１４４）よりも柔軟性の高い軟質樹脂材料からなり、二色成形によって基体と一体に形成している。
【００３１】
またカバー前面部１４２の内面には、廻し縁１３０に固定するためのリブ１４６が設けられている。一方、廻し縁１３０の前壁部１３６には、廻し縁カバー１４０を挿入して固定するクリップ部１３８が設けられている。したがって廻し縁カバー１４０は、リブ１４６をクリップ部１３８に押し込むだけで取り付け固定することができる。
【００３２】
このように廻し縁カバー１４０は中空であって、廻し縁カバー１４０を廻し縁１３０に取り付けると、その内側には内部空間１５０が形成される。なお角部においては、廻し縁カバー１４０の端部は４５度にカットされる。
【００３３】
上記のようにして天井パネル１１０と壁パネル１２０を連結し、廻し縁カバー１４０を取り付けると、図１（ｂ）に示すように廻し縁カバー１４０の角部に隙間が形成される。そこで以下に説明するコーナーピース２００を隙間に差し込んで装着すると、図１（ｃ）に示すように隙間を塞ぐことができる。
【００３４】
図２はコーナーピース２００の斜視図であって、図２（ａ）は前方斜視図、図２（ｂ）は後方斜視図である。図３はコーナーピース２００の５面図である。以下、図２と図３を参照しながらコーナーピース２００について説明する。
【００３５】
コーナーピース２００は、前面部２１０、板状の芯部２２０、複数のヒレ部２３０、２３２、２３４から構成されている。コーナーピースは軟質樹脂材料で形成されていて、特に前面部２１０およびヒレ部２３０、２３２、２３４に柔軟性が必要である。
【００３６】
前面部２１０は両側の廻し縁カバー１４０の隙間を覆う役割を有する。前面部２１０は、カバー前面部１４２およびカバー下面部１４４に倣うように屈曲した形状をしている。前面部２１０の幅は隙間より広い幅となっている（実際には、廻し縁カバー１４０の隙間が前面部２１０の幅より狭くなるように、廻し縁カバー１４０の長さを調整する）。これにより前面部２１０は、装着された際に両側の廻し縁カバー１４０の端部の前面側にかぶさって隙間を覆うことができる。
【００３７】
前面部２１０の上端には、天井パネル１１０に密接する上タブ２１２が設けられている。また、前面部２１０の下端には、左右の壁パネル１２０の角に密接する下タブ２１４が設けられている。
【００３８】
前面部２１０および下タブ２１４は、両側が直交した面に当接する。そこで前面部２１０と下タブ２１４は、幅方向の中央が窪むように断面がＲ形状になっている。これにより、両側の廻し縁カバー１４０の面を視覚的に滑らかに連続させることができる。
【００３９】
上タブ２１２は、平坦な天井パネル１１０に当接する。上タブ２１２はおおむね平坦な部位であるが、上タブ２１２の先端にはＲ形状の切欠２１２ａが形成されている。これにより、上タブ２１２が天井パネル１１０に隙間なく当接することができる。
【００４０】
芯部２２０は、前面部２１０の背面中央に立設し、廻し縁カバー１４０の隙間に挿入される際の芯材となる。芯部２２０は剛性が高い（たわみにくい）ほうが好ましく、前面部２１０やヒレ部２３０、２３２、２３４よりも肉厚に形成されている。
【００４１】
ヒレ部２３０、２３２、２３４は芯部２２０の左右両面に、前方（室内側）に傾いた羽根状に立設されている（挿入方向に対して後方に倒れた状態）。ヒレ部２３０、２３２、２３４はそれぞれ薄板であって、挿入方向に複数枚並列に設けられている。ヒレ部は可撓性を有していて、その幅（芯部２２０の一方の面にあるヒレ部の先端から他方の面にあるヒレ部の先端までの距離）は、廻し縁カバー１４０の隙間より広くなっている。
【００４２】
図４はコーナーピース２００を廻し縁カバー１４０の隙間に挿入する際のヒレ部の状態を説明する図であって、図４（ａ）は挿入途中、図４（ｂ）は挿入完了状態を示している。図４（ａ）に示すように、ヒレ部２３０、２３２、２３４は、コーナーピース２００を隙間に挿入するにしたがって、カバー前面部１４２によって順に畳むように撓む。これにより、コーナーピース２００を廻し縁カバー１４０の隙間に挿入することが可能である。またヒレ部２３０、２３２、２３４が廻し縁カバー１４０の内部空間１５０に入ると、撓んでいたものが広がって抜け落ちなくなる。
【００４３】
最終的には図４（ｂ）に示すように、最も前面側にあるヒレ部２３４が廻し縁カバー１４０の内面に当接して係止される。挿入の最終段階では、前面部２１０を若干過剰に押し込むことによって撓ませて、最後のヒレ部２３４の先端を内部空間１５０へと送り込む。したがってカバー前面部１４２は、ヒレ部２３４と前面部２１０によって挟まれた状態となり、高い保持力と安定性（ぐらつかない）、密着性（隙間が生じない）を得ることができる。
【００４４】
本実施形態ではコーナーピース２００に３枚のヒレ部２３０、２３２、２３４を設けている。最も奥側のヒレ部２３０は、廻し縁カバー１４０の隙間に押し込む際に両脇の廻し縁カバー１４０を若干撓ませる役割と、挿入完了時に廻し縁カバー１４０の内面に当接して鉛直方向の姿勢（回転方向の姿勢）を維持する役割を有する。最も手前側のヒレ部２３４は、カバー前面部１４２の内面に係止して挿入方向（水平方向）の脱落を防止する役割を有する。間にあるヒレ部２３２は、奥側のヒレ部２３０の撓みを手前側のヒレ部２３４まで連続させる役割を有している。仮にヒレ部２３２を設けないと、開いた状態のヒレ部２３４がカバー前面部１４２にあたるため、挿入しにくくなってしまう。
【００４５】
なお、本実施形態では３枚のヒレ部を設けているが、奥側と手前側のヒレ部が近ければ間のヒレ部を設けずに２枚の構成としてもよい。また、奥側と手前側のヒレ部が遠ければ、間のヒレ部を増やして、４枚または５枚の構成としてもよい。
【００４６】
上記説明したように、本発明にかかるコーナーピースにおいては、廻し縁カバー１４０を取り付けた後に、その隙間に差し込むだけでコーナーピース２００を取り付けることができる。したがって、廻し縁カバー１４０の隙間をシーリングで充填することなく隙間を隠すことができる。天井パネル１１０と壁パネル１２０の合わせ目に用いられたシーリング材は、廻し縁カバー１４０およびコーナーピース２００によって隠されて、外観からは観察されない。また取り付けの際の作業も、道具や工具を使うことなく手作業にて可能であるので、簡単かつ迅速に行うことができ、施工時間の大幅な短縮を図ることができる。また、コーナーピースを取り付けるための受け部材を固設する必要がないため、部品点数、施工時間、およびコストの増大を招くことがない。またヒレ部が廻し縁カバー１４０の内部で広がると、摩擦ではなく係止によって脱落が防止されるために、十分な保持力を得ることができる。
【００４７】
なお複数枚のヒレ部を設けているのは、さらに保持力と安定性を向上させるためである。単に挿入方向と逆方向の戻りを防止するのであれば前面部２１０の近傍のヒレ部２３４だけがあればよい。しかし、複数枚のヒレ部２３０、２３２、２３４がそれぞれ内部空間１５０の内面に当接することにより、コーナーピース２００の上下方向のずれや、回転方向のずれを確実に防止することができる。
【００４８】
図５はヒレ部の詳細を説明する図であって、図５（ａ）は高段部および低段部を説明する図、図５（ｂ）は突起を説明する図である。
【００４９】
図５（ａ）に示すように、ヒレ部２３０は、廻し縁カバー１４０の内部空間１５０の高さｈ１に対応する幅ｗ１の高段部２３０ａと、廻し縁カバー１４０の端面（リブ１４６の端面）に対応する位置に設けられた低段部２３０ｂとを有している。高段部２３０ａは内部空間１５０にガタなく収容される寸法関係であることが好ましく、ｗ１≦ｈ１である。また図では符号を付していないが、他のヒレ部２３２、２３４も同様の構造を有している。
【００５０】
これにより、高段部２３０ａは廻し縁カバー１４０の内部で上下方向の移動を規制する。低段部２３０ｂは廻し縁カバー１４０のリブ１４６の端面に常時圧接して摩擦を生じ、ずれを防止する。また、低段部２３０ｂが両側で当接することにより、芯部２２０が廻し縁カバー１４０の隙間に対してセンタリングされるため、コーナーピース２００が片寄ることがなく、高段部２３０ａが廻し縁カバー１４０から外れてしまうことを防止することができる。このように、内部空間１５０に入り込む高段部２３０ａだけでなく、廻し縁カバー１４０の端面に当接する低段部２３０ｂを設けることによって、より保持力と安定性を向上させることができる。
【００５１】
また図５（ｂ）および図２（ｂ）に示すように、最も奥側のヒレ部２３０の下端には、廻し縁カバー１４０の内面に当接する部位を肉厚にする突起２３０ｃが設けられている。このように部分的に肉厚にすることによって、ヒレ部２３０の可撓性を確保しつつも、廻し縁カバー１４０の内面に当接している箇所が座屈することを防止し、さらに保持力と安定性を向上させることができる。
【００５２】
また図２（ｂ）および図３に示すように、最も奥側のヒレ部２３０は、他のヒレ部２３２、２３４よりも肉厚に形成している。これにより、コーナーピース２００を狭い隙間に挿入する際の強度を得ることができる。例えばもっとも奥側のヒレ部２３０も薄くすると、廻し縁カバー１４０の隙間と芯部２２０の幅が同程度であるとき、コーナーピース２００を押し込もうとしても芯部２２０が座屈してしまって入らない。そこでヒレ部２３０を肉厚にして先端部の強度を高くすることにより、両側の廻し縁カバー１４０を若干撓ませて挿入することができる。
【００５３】
またコーナーピース２００を装着した状態では、前面部２１０の上タブ２１２が天井パネル１１０に、下タブ２１４が壁パネル１２０に当接するため、コーナーピース２００には回転方向の力がかかる。この回転モーメントによって、複数枚のヒレ部のうち、最も奥側のヒレ部２３０に最も大きな上下方向の力がかかる。したがって突起２３０ｃだけではなく、最も奥側のヒレ部２３０の全体を肉厚にすることによって、回転モーメントによる座屈を効果的に防止することができる。
【００５４】
また突起２３０ｃはある程度の鉛直方向の強度を得るために設けているが、仮に最も奥側のヒレ部２３０を薄くするとすれば、その分だけ突起２３０ｃの突出量を増やさなくてはならない。すると、挿入する際に突起２３０ｃが両脇の廻し縁カバー１４０につかえて挿入しにくくなってしまう。すなわちヒレ部２３０を厚くすることは突起２３０ｃの突出量を抑える役割も有している。
【００５５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５６】
本発明は、廻し縁カバーの隙間を隠すためのコーナーピースとして利用することができる。
【符号の説明】
【００５７】
１１０…天井パネル、１２０…壁パネル、１３０…廻し縁、１３２…上折り返し部、１３４…境界部、１３６…前壁部、１３７…後折り返し部、１３８…クリップ部、１４０…廻し縁カバー、１４２…カバー前面部、１４２ａ…上フィン、１４４…カバー下面部、１４４ａ…下フィン、１４６…リブ、１５０…内部空間、２００…コーナーピース、２１０…前面部、２１２…上タブ、２１２ａ…切欠、２１４…下タブ、２２０…芯部、２３０…ヒレ部、２３０ａ…高段部、２３０ｂ…低段部、２３０ｃ…突起、２３２…ヒレ部、２３４…ヒレ部
【図１】
0005812872.tif 000002
【図２】
0005812872.tif 000003
【図３】
0005812872.tif 000004
【図４】
0005812872.tif 000005
【図５】
0005812872.tif 000006